(57)【要約】  本発明の情報処理端末は、２つの画面と、１つ以上のウィンドウを前記２つの画面の両画面または片画面に表示している状態で特定モードに移行した場合、前記２つの画面のうち一方の画面に前記ウィンドウを全て表示し、他方の画面を消灯する制御部と、を有する。
2013046982.tif 000002
【特許請求の範囲】
【請求項１】
２つの画面と、
１つ以上のウィンドウを前記２つの画面の両画面または片画面に表示している状態で特定モードに移行した場合、前記２つの画面のうち一方の画面に前記ウィンドウを全て表示し、他方の画面を消灯する制御部と、を有する情報処理端末。
【請求項２】
前記情報処理端末の姿勢を検知する姿勢検知部をさらに有し、
前記制御部は、
前記情報処理端末の姿勢に基づいて、前記２つの画面のうち所定の位置にある画面を前記一方の画面と決定する、請求項１に記載の情報処理端末。
【請求項３】
前記制御部は、
前記特定モードに移行した場合、前記ウィンドウが前記２つの画面の両画面に固定で表示されるウィンドウであれば、前記ウィンドウのサイズを縮小した上で、前記一方の画面に表示する、請求項２に記載の情報処理端末。
【請求項４】
前記ウィンドウ毎に、該ウィンドウが前記特定モードに移行する前に表示されていた画面の位置を示すテーブルを記憶する記憶部をさらに有し、
前記制御部は、
前記特定モードから通常モードに移行した場合、前記テーブルにエントリされているウィンドウを、前記テーブルに示される位置にある画面に表示する、請求項３に記載の情報処理端末。
【請求項５】
前記ウィンドウ毎に、該ウィンドウが前記特定モードに移行する前に表示されていた画面を示すテーブルを記憶する記憶部をさらに有し、
前記制御部は、
前記特定モードの実行中、前記テーブルにエントリされているウィンドウが閉じられたか否かを監視し、
前記特定モードから通常モードに移行した場合、前記テーブルにエントリされているウィンドウのいずれもが閉じられていなければ、前記テーブルにエントリされているウィンドウを、前記テーブルに示される位置にある画面に表示する、請求項３に記載の情報処理端末。
【請求項６】
前記ウィンドウ毎に、該ウィンドウが前記特定モードに移行する前に表示されていた画面を示すテーブルを記憶する記憶部をさらに有し、
前記制御部は、
前記特定モードの実行中、前記テーブルにエントリされているウィンドウが閉じられたか否かを監視し、閉じられたウィンドウのエントリを前記テーブルから削除し、
前記特定モードから通常モードに移行した場合、前記テーブルにエントリされているウィンドウを、前記テーブルに示される位置にある画面に表示する、請求項３に記載の情報処理端末。
【請求項７】
前記制御部は、
前記特定モードから通常モードに移行した場合、前記ウィンドウが前記２つの画面の両画面に固定で表示されるウィンドウであれば、前記ウィンドウを元のサイズに拡大した上で、画面に表示する、請求項３から６のいずれか１項に記載の情報処理端末。
【請求項８】
２つの画面を有する情報処理端末による表示制御方法であって、
１つ以上のウィンドウを前記２つの画面の両画面または片画面に表示している状態で特定モードに移行した場合、前記２つの画面のうち一方の画面に前記ウィンドウを全て表示し、他方の画面を消灯する、表示制御方法。
【発明の詳細な説明】
【技術分野】
【０００１】
本発明は、情報処理端末およびその表示制御方法に関する。
【背景技術】
【０００２】
最近の情報処理端末の中には、複数の画面を利用するものも増えている。しかし、複数の画面を全て表示させておく場合、消費電力の増大が懸念される。【０００３】
そこで、例えば、特許文献１には、複数の表示装置に接続された情報処理端末において、省電力化の観点で、操作中であることを示す情報（具体的には、カーソル）が画面に表示されている表示装置以外の表示装置については、電源供給を停止したり、画面の輝度を下げたりする技術が記載されている。
【先行技術文献】
【特許文献】
【０００４】
【特許文献１】特開２０１０−０４９５５７号公報
【発明の概要】
【発明が解決しようとする課題】
【０００５】
ところで、近年は、自身を表示装置に接続する形態ではなく、自身が２つのディスプレイを備えている２画面端末と呼ばれる情報処理端末がある。【０００６】
２画面端末でアプリケーションを実行する場合、そのアプリケーションに対応するウィンドウは、２つのディスプレイの画面のうちの片画面に表示することも、２つのディスプレイの両画面（全画面）に表示することも可能である。【０００７】
ここで、２画面端末を省電力モードに移行する場合、上述した特許文献１に記載の技術を適用することが考えられる。【０００８】
しかし、特許文献１に記載の技術では、操作中のディスプレイ以外のディスプレイについては、電源供給が停止されるか、画面の輝度が下げられることになるため、省電力モードへの移行後は、そのディスプレイに表示されていたウィンドウの表示ができない、または、表示が見づらくなるという課題がある。【０００９】
そこで、本発明の目的は、上述した課題を解決し、省電力モードへの移行後も、移行前に表示されていたウィンドウを見やすく表示することができる情報処理端末およびその表示制御方法を提供することにある。
【課題を解決するための手段】
【００１０】
本発明の情報処理端末は、
２つの画面と、
１つ以上のウィンドウを前記２つの画面の両画面または片画面に表示している状態で特定モードに移行した場合、前記２つの画面のうち一方の画面に前記ウィンドウを全て表示し、他方の画面を消灯する制御部と、を有する。【００１１】
本発明の表示制御方法は、
２つの画面を有する情報処理端末による表示制御方法であって、
１つ以上のウィンドウを前記２つの画面の両画面または片画面に表示している状態で特定モードに移行した場合、前記２つの画面のうち一方の画面に前記ウィンドウを全て表示し、他方の画面を消灯する。
【発明の効果】
【００１２】
本発明によれば、特定モードへの移行後も、移行前に表示されていたウィンドウを見やすく表示することができるという効果が得られる。
【図面の簡単な説明】
【００１３】
【図１】本発明の一実施形態の情報処理端末の外観図である。
【図２】本発明の一実施形態の情報処理端末の外観図である。
【図３】本発明の一実施形態の情報処理端末の機能ブロック図である。
【図４】本発明の一実施形態の情報処理端末において、ウィンドウをメイン画面に表示した状態を示す図である。
【図５】本発明の一実施形態の情報処理端末において、ウィンドウをサブ画面に表示した状態を示す図である。
【図６】本発明の一実施形態の情報処理端末において、ウィンドウを全画面に表示した状態を示す図である。
【図７】本発明の一実施形態の情報処理端末において、複数のウィンドウを表示した状態を示す図である。
【図８】本発明の一実施形態の情報処理端末において、初期状態の通常モードから省電力モードに移行する動作の概要を説明する図である。
【図９】本発明の一実施形態の情報処理端末において、省電力モードに移行した場合における全画面固定のウィンドウの処理の概要を説明する図である。
【図１０】本発明の一実施形態の情報処理端末において、初期状態の通常モードから省電力モードに移行し、その後に通常モードに移行する動作の概要を説明する図である。
【図１１】本発明の一実施形態の情報処理端末の動作の流れを説明するフロー図である。
【発明を実施するための形態】
【００１４】
以下に、本発明を実施するための形態について図面を参照して説明する。
【００１５】
図１および図２は、本実施形態の情報処理端末１０の外観図である。
【００１６】
図１および図２に示すように、本実施形態の情報処理端末１０は、互いに開閉可能に接続された２つの筐体１１−１，１１−２からなり、各筐体１１−１，１１−２のそれぞれにディスプレイ１２−１，１２−２を備えた２画面端末である。
【００１７】
情報処理端末１０の利用スタイルとしては、大別して、図１に示すように、２つのディスプレイ１２−１，１２−２を横に並べて配置して、本のように利用するスタイル（以下、ブックスタイルと称す）と、図２に示すように、２つのディスプレイ１２−１，１２−２を縦に並べて配置して、ＰＣ（Personal  Computer）のように利用するスタイル（以下、ＰＣスタイルと称す）と、の２つが存在する。
【００１８】
図３は、本実施形態の情報処理端末１０の機能ブロック図である。
【００１９】
図３に示すように、本実施形態の情報処理端末１０は、ディスプレイ１２−１，１２−２と、姿勢センサ（姿勢検知部）１３と、記憶部１４と、制御部１５と、を有している。
【００２０】
ディスプレイ１２−１，１２−２は、画面を表示する機能と、ユーザの指やペンによるタッチ操作を検出する機能と、を有するタッチパネル式のディスプレイである。なお、ディスプレイ１２−１，１２−２は、制御部１５からの制御で画面を表示し、また、タッチ操作を検出した位置を表すタッチ入力情報を制御部１５に通知する。
【００２１】
姿勢センサ１３は、３軸加速度センサ等であり、情報処理端末１０の姿勢を検知し、検知した姿勢を表す姿勢情報（各軸の加速度の情報等）を制御部１５に通知する。
【００２２】
制御部１５は、姿勢センサ１３からの姿勢情報を基に、情報処理端末１０の利用スタイルがブックスタイルまたはＰＣスタイルのどちらであるかを判断する。さらに、ブックスタイルであれば、２つのディスプレイ１２−１，１２−２が右側または左側のどちらに配置されているかも判断し、また、ＰＣスタイルであれば、２つのディスプレイ１２−１，１２−２が上側または下側のどちらに配置されているかも判断する。
【００２３】
ただし、例えば、情報処理端末１０の開閉角度を１８０度にして机の上などの平面上に置いた状態で起動した場合には、情報処理端末１０の利用スタイルを判断できない可能性がある。その場合は、制御部１５は、情報処理端末１０の利用スタイルを判断するために、ディスプレイ１２−１，１２−２にメッセージを表示する等して、情報処理端末１０を持ち上げて傾けることをユーザに促せば良い。
【００２４】
なお、本実施形態においては、ブックスタイルの場合、２つのディスプレイ１２−１，１２−２のうち左側のディスプレイの画面をメイン画面、右側のディスプレイの画面をサブ画面と定義する。また、ＰＣスタイルの場合、上側のディスプレイの画面をメイン画面、下側のディスプレイの画面をサブ画面と定義する。
【００２５】
また、制御部１５は、アプリケーションを起動してそのアプリケーションに対応するウィンドウをディスプレイ１２−１，１２−２の画面に表示し、また、アプリケーションの処理を実行する。
【００２６】
その際、制御部１５は、ユーザの操作に応じて、図４および図５に示すように、ウィンドウＷを、２つのディスプレイ１２−１，１２−２の画面のうちの片画面に表示することも、図６に示すように、ウィンドウＷを、２つのディスプレイ１２−１，１２−２の両画面（全画面）に表示することも可能である。
【００２７】
ただし、アプリケーションによっては、対応するウィンドウを全画面でしか表示できないものもある。このウィンドウの場合、制御部１５は、ユーザの操作にかかわらず、全画面に固定で表示する。このようなウィンドウは、全画面固定のウィンドウと称される。
【００２８】
また、制御部１５は、複数のウィンドウを表示する場合もある。この場合、図７に示すように、各ウィンドウＷ１〜Ｗ５は、表示順に重ねられた状態で表示されることになる。
【００２９】
詳細には、図７においては、ブックスタイルにおいて、ウィンドウＷ１，Ｗ２，Ｗ３，Ｗ４，Ｗ５がこの順で表示され、このうちウィンドウＷ１がメイン画面に、ウィンドウＷ２，Ｗ４がサブ画面に、ウィンドウＷ３，Ｗ５が全画面に表示されている。また、ウィンドウＷ５は全画面固定のウィンドウになっている。
【００３０】
図７と同様の状態である初期状態の通常モードから省電力モードに移行する場合、制御部１５は、図８に示すように、ウィンドウＷ１〜Ｗ５を表示順にメイン画面に表示し、サブ画面を消灯する。
【００３１】
ただし、全画面固定のウィンドウＷ５は、そのままではメイン画面に表示できない。そのため、制御部１５は、図９に示すように、全画面固定のウィンドウＷ５については、サイズを縮小し、その後、メイン画面に表示する。
【００３２】
また、制御部１５は、省電力モードへの移行時に表示されていたウィンドウ毎に、そのウィンドウが省電力モードに移行する前に表示されていた画面の位置を示すテーブルを記憶部１４に記憶させる。例えば、図７の状態のテーブルは、表１のようになる。
【００３３】
【表１】
2013046982.tif 000003
【００３４】
なお、表１においては、各ウィンドウを表示順に順番にエントリさせている。また、各ウィンドウの画面の位置を、メイン画面、サブ画面、全画面のいずれかで表している。例えば、ウィンドウの画面の位置がメイン画面である場合、そのウィンドウが、ブックスタイルの左側のディスプレイの画面に表示されていたか、または、ＰＣスタイルの上側のディスプレイの画面に表示されていたことを示している。
【００３５】
制御部１５は、省電力モードから通常モードに移行した場合は、上記テーブルにエントリされているウィンドウを、テーブルに示される位置にある画面に表示する。その際、制御部１５は、上記テーブルのエントリ順に従って、ウィンドウＷ１，Ｗ２，Ｗ３，Ｗ４，Ｗ５をこの順で表示する。
【００３６】
例えば、制御部１５は、ウィンドウＷ１については、ブックスタイルで省電力モードから通常モードに移行した場合は、元の右側のディスプレイの画面に戻して表示し、ＰＣスタイルで省電力モードから通常モードに移行した場合は、上側のディスプレイの画面に表示する。
【００３７】
なお、省電力モードへの移行は、筐体１１−１または１１−２上に物理的に配置した特定のキーが押下されたこと、または、２つの画面のいずれかに表示した特定のキーがタップされたことをトリガーとして判断することができる。または、最後の操作が行われてから一定時間が経過したことをトリガーとしても良いし、情報処理端末１０の電池残量を監視し、残量が一定量以下になったことをトリガーとしても良い。
【００３８】
ただし、２つの画面のいずれか一方を消灯している状態では、既に省電力化がなされているため、省電力モードへは移行されない。
【００３９】
また、通常モードへの移行は、筐体１１−１または１１−２上に物理的に配置した特定のキーが押下されたこと、または、２つの画面のいずれかに表示した特定のキーがタップされたことをトリガーにして判断することができる。または、操作が開始されたことをトリガーとしても良いし、情報処理端末１０の電池残量を監視し、残量が一定量を超えたことをトリガーとしても良い。
【００４０】
以下、本実施形態の情報処理端末１０の動作について説明する。
【００４１】
図１０は、本実施形態の情報処理端末１０の動作の概要を説明する図である。
【００４２】
図１０においては、情報処理端末１０をブックスタイルで利用している状況で、初期状態の通常モードから省電力モードに移行し、その後に省電力モードから通常モードに移行する動作の概要を示している。また、図１０の初期状態は、図７と同様の状態である。
【００４３】
ブックスタイルにおいて、初期状態の通常モードから省電力モードに移行する場合、制御部１５は、ウィンドウＷ１〜Ｗ５毎に、そのウィンドウが省電力モードに移行する前に表示されていた画面の位置を示すテーブルを記憶部１４に記憶させる。
【００４４】
そして、制御部１５は、ウィンドウＷ１〜Ｗ５を表示順にメイン画面に表示し、サブ画面を消灯する。このとき、制御部１５は、全画面固定のウィンドウＷ５については、サイズを縮小し、その後、メイン画面に表示する。
【００４５】
以降に、ブックスタイルにおいて、省電力モードから通常モードに移行する場合、制御部１５は、上記テーブルにエントリされているウィンドウを、テーブルに示される位置にある元の画面に表示順に表示する。このとき、制御部１５は、全画面固定のウィンドウＷ５については、元のサイズに拡大し、その後、元の画面に戻す。
【００４６】
図１１は、本実施形態の情報処理端末１０の動作の流れを説明するフロー図である。
【００４７】
図１１において、制御部１５は、姿勢センサ１４からの姿勢情報を監視すると共に、２つのディスプレイ１２−１，１２−２からのタッチ入力情報を監視している。また、制御部１５は、情報処理端末１０の電池残量や、筐体１１−１または１１−２上の特定のキーの押下状況も監視している。
【００４８】
まず、制御部１５は、通常モードから省電力モードへ移行するトリガーの発生の有無に応じて、情報処理端末１０が省電力モードに移行したかを判断する（ステップＳ１１）。
【００４９】
ステップＳ１１において、省電力モードに移行した場合、制御部１５は、その時点の情報処理端末１０の利用スタイルに応じて、２つのディスプレイ１２−１，１２−２の画面の一方をメイン画面、他方をサブ画面と判断する（ステップＳ１２）。
【００５０】
例えば、ブックスタイルの場合、左側のディスプレイの画面をメイン画面、右側のディスプレイの画面をサブ画面と判断する。また、ＰＣスタイルの場合、上側のディスプレイの画面をメイン画面、下側のディスプレイの画面をサブ画面と判断する。
【００５１】
次に、制御部１５は、省電力モードへの移行時に表示されていたウィンドウ毎に、そのウィンドウが省電力モードに移行する前に表示されていた画面の位置を示すテーブルを記憶部１４に記憶させる（ステップＳ１３）。
【００５２】
次に、制御部１５は、省電力モードへの移行時に表示されていた各ウィンドウを表示順にメイン画面に表示し、サブ画面を消灯する（ステップＳ１４）。このとき、制御部１５は、全画面固定のウィンドウについては、サイズを縮小し、その後、メイン画面に表示する。
【００５３】
以降、制御部１５は、省電力モードから通常モードに移行するトリガーの発生の有無に応じて、情報処理端末１０が通常モードに移行したかを判断する（ステップＳ１５）。
【００５４】
ステップＳ１５において、通常モードに移行した場合、制御部１５は、その時点の情報処理端末１０の利用スタイルに応じて、２つのディスプレイ１２−１，１２−２の画面の一方をメイン画面、他方をサブ画面と判断する（ステップＳ１６）。
【００５５】
その後、制御部１５は、上記テーブルにエントリされているウィンドウを、テーブルに示される位置にある画面に表示順に表示する（ステップＳ１７）。このとき、制御部１５は、全画面固定のウィンドウについては、元のサイズに拡大し、その後、画面に表示する。
【００５６】
上述したように本実施形態においては、１つ以上のウィンドウを片画面または全画面に表示している状態で省電力モードに移行した場合、各ウィンドウを全てメイン画面に表示し、サブ画面を消灯する。
【００５７】
そのため、省電力モードに移行した場合、消灯したサブ画面に表示されていたウィンドウを、メイン画面で継続して見やすく表示することができる。
【００５８】
また、本実施形態においては、省電力モードに移行した場合、作業を行うメイン画面と消灯するサブ画面とが、情報処理端末１０の利用スタイルに応じて固定で決められているため、統一した画面で作業を行うことができる。
【００５９】
また、本実施形態においては、省電力モードに移行した場合、その時点で画面に表示されていたウィンドウ毎に、そのウィンドウが表示されていた画面の位置を記憶する。
【００６０】
そのため、省電力モードから通常モードに移行した場合、メイン画面に表示していた各ウィンドウを元の画面に戻すことができる。
【００６１】
以上、実施形態を参照して本発明を説明したが、本発明は上記実施形態に限定されるものではない。本発明の構成や詳細には、本発明の範囲内で当業者が理解し得る様々な変更をすることができる。
【００６２】
例えば、上記実施形態においては、ブックスタイルの場合のメイン画面を、左側のディスプレイの画面とし、ＰＣスタイルの場合のメイン画面を、上側のディスプレイの画面としたが、本発明はこれに限定されず、他方の画面をメイン画面としても良い。
【００６３】
また、本実施形態においては、省電力モードから通常モードに移行する場合、テーブルにエントリされているウィンドウを、テーブルに示される位置にある画面に表示していたが、これは、省電力モードの実行中に、ユーザがウィンドウを閉じないことを前提としている。
【００６４】
しかし、省電力モードの実行中に、ユーザがメイン画面に表示したウィンドウを閉じる場合もあり、その場合は、省電力モードから通常モードに移行した後に、必ずしも、各ウィンドウをテーブルの位置にある画面に表示する必要はない。
【００６５】
そこで、本発明においては、制御部１５は、省電力モードの実行中に、テーブルにエントリされているウィンドウが閉じられたか否かを監視し、省電力モードから通常モードに移行した時点で、いずれのウィンドウも閉じられていない場合に限り、各ウィンドウをテーブルの位置にある画面に表示しても良い。
【００６６】
または、制御部１５は、省電力モードの実行中に、テーブルにエントリされているウィンドウが閉じられたか否かを監視し、閉じられたウィンドウのエントリをテーブルから削除し、省電力モードから通常モードに移行した時点で、テーブルにエントリされているウィンドウのみを、テーブルの位置にある画面に表示しても良い。
【００６７】
例えば、図７および表１の状態で省電力モードに移行し、省電力モードの実行中に、ユーザがウィンドウＷ４，Ｗ５を閉じたとする。
【００６８】
この場合、制御部１５は、表２に示すように、ウィンドウＷ４，Ｗ５のエントリをテーブルから削除する。
【００６９】
【表２】
2013046982.tif 000004
【００７０】
そして、制御部１５は、省電力モードから通常モードに移行した場合、ウィンドウＷ１〜Ｗ３については、テーブルの位置にある画面に表示する。
【００７１】
本出願は、２０１１年９月２６日に出願された日本出願特願２０１１−２０８６８４を基礎とする優先権を主張し、その開示の全てをここに取り込む。
【図１】
2013046982.tif 000005
【図２】
2013046982.tif 000006
【図３】
2013046982.tif 000007
【図４】
2013046982.tif 000008
【図５】
2013046982.tif 000009
【図６】
2013046982.tif 000010
【図７】
2013046982.tif 000011
【図８】
2013046982.tif 000012
【図９】
2013046982.tif 000013
【図１０】
2013046982.tif 000014
【図１１】
2013046982.tif 000015
【国際調査報告】
2013046982.tif 000016
2013046982.tif 000017
2013046982.tif 000018
2013046982.tif 000019